(57)【特許請求の範囲】
【請求項１】
無線インタフェースプロトコル構造を用いて動作する２つの送受信器の間で無線通信を行う方法であって、
第１のエンティティを各送受信器において構成することであって、前記第１のエンティティは、ＰＤＣＰ（Ｐａｃｋｅｔ  Ｄａｔａ  Ｃｏｎｖｅｒｇｅｎｃｅ  Ｐｒｏｔｏｃｏｌ）階層に位置するＰＤＣＰエンティティである、ことと、
前記第１のエンティティと通信する第２のエンティティを各送受信器において構成することであって、前記第２のエンティティは、ＲＬＣ（Ｒａｄｉｏ  Ｌｉｎｋ  Ｃｏｎｔｒｏｌ）階層に位置するＲＬＣエンティティであり、再伝送機能を実行することなくサービスアクセスポイント（ＳＡＰ）を介して両方向に前記第１のエンティティと前記第２のエンティティとの間でパケット転送サービスが提供され、前記第２のエンティティは、リアルタイム応答モード（Ｒｅａｌ  Ｔｉｍｅ  Ａｃｋｎｏｗｌｅｄｇｅｄ  Ｍｏｄｅ：ＲＡＭ）、両方向透明モード（Ｂｉｄｉｒｅｃｔｉｏｎａｌ  Ｔｒａｎｓｐａｒｅｎｔ  Ｍｏｄｅ：ＢＴＭ）、両方向無応答モード（Ｂｉｄｉｒｅｃｔｉｏｎａｌ  Ｕｎａｋｎｏｗｌｅｄｇｅｄ  Ｍｏｄｅ：ＢＵＭ）のうちの１つにおいて動作する、ことと、
前記第２のエンティティを少なくとも１つの論理チャネルにマッピングすることと、
前記少なくとも１つの論理チャネルを介して前記送受信器の間で複数のパケットを両方向に通信することと
を含む、方法。
【請求項２】
前記少なくとも１つの論理チャネルは、一対の送信側論理チャネルおよび受信側論理チャネルを含む、請求項１に記載の方法。
【請求項３】
前記第２のエンティティは、前記第１のエンティティにリアルタイムパケット転送サービスを提供する、請求項１に記載の方法。
【請求項４】
前記第１のエンティティは、少なくとも１つの無線ベアラに関連付けられている、請求項１に記載の方法。
【請求項５】
前記少なくとも１つの無線ベアラは、両方向特性を有している、請求項４に記載の方法。
【請求項６】
前記第１のエンティティは、ヘッダ圧縮器とヘッダ圧縮解除器とを含む、請求項４に記載の方法。
【請求項７】
前記第２のエンティティは、送信側論理チャネルおよび受信側論理チャネルにそれぞれマッピングされる送信側モジュールおよび受信側モジュールを含む、請求項１に記載の方法。
【請求項８】
前記第１のエンティティは、ヘッダ圧縮器とヘッダ圧縮解除器とを含み、前記第２のエンティティは、前記ヘッダ圧縮器にマッピングされる送信側モジュールと、前記ヘッダ圧縮解除器にマッピングされる受信側モジュールとを含む、請求項４に記載の方法。
【請求項９】
前記送信側モジュールは、前記送信側論理チャネルにマッピングされ、前記受信側モジュールは、前記受信側論理チャネルにマッピングされる、請求項８に記載の方法。
【請求項１０】
前記ヘッダ圧縮器は、前記少なくとも１つの無線ベアラを介して上位階層からパケットを受信するとヘッダ圧縮を実行することにより圧縮ヘッダパケットを生成し、前記ヘッダ圧縮解除器は、前記第２のエンティティから圧縮ヘッダパケットを受信するとヘッダ圧縮解除を実行する、請求項９に記載の方法。
【請求項１１】
前記第２のエンティティは、１つのＲＡＭ  ＲＬＣエンティティであり、前記サービスアクセスポイント（ＳＡＰ）は、１つのＲＡＭ  ＳＡＰであり、前記ＰＤＣＰエンティティは、前記ＲＡＭ  ＳＡＰを介して前記ＲＡＭ  ＲＬＣエンティティに関連付けられている、請求項１に記載の方法。
【請求項１２】
前記受信側のＲＡＭ  ＲＬＣエンティティは、再伝送関連情報を含まない応答信号を伝送することにより、前記パケット再伝送に関連する機能およびパラメータを非活性化し、前記応答信号は、再伝送タイマー、カウンター、送受信ウィンドウを含む群のうちの少なくとも１つを含む、請求項１１に記載の方法。
【請求項１３】
前記ＲＡＭ  ＲＬＣエンティティは、送信側論理チャネルおよび受信側論理チャネルにそれぞれマッピングされる送信側モジュールおよび受信側モジュールを含む、請求項１１に記載の方法。
【請求項１４】
前記第２のエンティティは、１つの両方向ＴＭまたはＵＭ（ＢＴＭ／ＢＵＭ）  ＲＬＣエンティティであり、前記サービスアクセスポイント（ＳＡＰ）は、１つのＢＴＭ／ＢＵＭ  サービスアクセスポイントであり、前記ＰＤＣＰエンティティは、前記ＢＴＭ／ＢＵＭ  ＳＡＰを介して前記両方向ＢＴＭ／ＢＵＭ  ＲＬＣエンティティに関連付けられており、前記ＢＴＭ／ＢＵＭ  ＲＬＣエンティティは、前記少なくとも１つの論理チャネルを介してＭＡＣ（Ｍｅｄｉｕｍ  Ａｃｃｅｓｓ  Ｃｏｎｔｒｏｌ）階層に関連付けられている、請求項１に記載の方法。
【請求項１５】
前記ＰＤＣＰエンティティは、ヘッダ圧縮機能とヘッダ圧縮解除機能とを有し、前記ＰＤＣＰエンティティは、無線ベアラを介して上位階層からパケットを受信するとヘッダ圧縮を実行することにより圧縮ヘッダパケットを生成し、前記圧縮ヘッダパケットを前記ＲＬＣエンティティに伝送し、前記ＰＤＣＰエンティティは、前記ＲＬＣエンティティから圧縮ヘッダパケットを受信するとヘッダ圧縮解除を実行し、圧縮解除されたヘッダパケットを前記上位階層に伝送する、請求項１に記載の方法。
【請求項１６】
無線インタフェースプロトコル構造を用いて動作する２つの送受信器の間で無線通信を行う方法であって、
第１のエンティティを各送受信器において構成することであって、前記第１のエンティティは、ＰＤＣＰ（Ｐａｃｋｅｔ  Ｄａｔａ  Ｃｏｎｖｅｒｇｅｎｃｅ  Ｐｒｏｔｏｃｏｌ）階層に位置するＰＤＣＰエンティティである、ことと、
前記第１のエンティティと通信する２つの第２のエンティティを各送受信器において構成することであって、前記２つの第２のエンティティは、ＲＬＣ（Ｒａｄｉｏ  Ｌｉｎｋ  Ｃｏｎｔｒｏｌ）階層に位置するＲＬＣエンティティであり、第１のサービスアクセスポイント（ＳＡＰ）を介して前記第１のエンティティと前記２つの第２のエンティティのうちの一方との間でパケット転送サービスが提供され、第２のサービスアクセスポイント（ＳＡＰ）を介して前記第１のエンティティと前記第２つの第２のエンティティのうちの他方との間でパケット転送サービスが提供される、ことと、
前記第１のエンティティを前記２つの第２のエンティティにマッピングすることであって、各第２のエンティティは、異なる方向に対して用いられ、前記２つの第２のエンティティは、単方向透明モード（Ｕｎｉｄｉｒｅｃｉｔｉｏｎａｌ  Ｔｒａｎｓｐａｒｅｎｔ  Ｍｏｄｅ：ＴＭ）および単方向無応答モード（Ｕｎｉｄｉｒｅｃｔｉｏｎａｌ  Ｕｎａｃｋｎｏｗｌｅｄｇｅｄ  Ｍｏｄｅ：ＵＭ）のうちの少なくとも一方において動作する、ことと、
前記第１のエンティティと前記２つの第２のエンティティとの間で複数のパケットを通信することと
を含む、方法。
【請求項１７】
前記第１のサービスアクセスポイント（ＳＡＰ）は、送信側サービスアクセスポイント（ＳＡＰ）であり、前記第２のサービスアクセスポイント（ＳＡＰ）は、受信側サービスアクセスポイント（ＳＡＰ）であり、前記パケット転送サービスは、各ＳＡＰを介して異なる方向に提供される、請求項１６に記載の方法。
【請求項１８】
前記２つの第２のエンティティのうちの１つは、前記第２のサービスアクセスポイント（ＳＡＰ）を介してリアルタイムパケット転送サービスを前記第１のエンティティに提供する、請求項１７に記載の方法。
【請求項１９】
前記第１のエンティティは、少なくとも１つの無線ベアラ（ＲＢ）に関連付けられている、請求項１６に記載の方法。
【請求項２０】
前記少なくとも１つの無線ベアラは、単方向特性または両方向特性を有している、請求項１９に記載の方法。
【請求項２１】
前記第１のエンティティは、ヘッダ圧縮器とヘッダ圧縮解除器とを含み、前記２つの第２のエンティティは、送信側エンティティと受信側エンティティとを含む、請求項１６に記載の方法。
【請求項２２】
前記送信側第２のエンティティは、前記第１のエンティティから受信したパケットを送信側論理チャネルを介して伝送し、前記受信側第２のエンティティは、受信側論理チャネルを介してパケットを受信し、前記パケットを前記第１のエンティティに伝送する、請求項２１に記載の方法。
【請求項２３】
前記ヘッダ圧縮器および前記ヘッダ圧縮解除器は、前記送信側第２のエンティティおよび前記受信側第２のエンティティにそれぞれマッピングされる、請求項２１に記載の方法。
【請求項２４】
前記ヘッダ圧縮器は、前記少なくとも１つの無線ベアラを介して上位階層からパケットを受信するとヘッダ圧縮を実行することにより圧縮ヘッダパケットを生成し、前記圧縮ヘッドパケットを送信側サービスアクセスポイント（ＳＡＰ）を介して前記送信側第２のエンティティに伝送し、前記ヘッダ圧縮解除器は、受信側サービスアクセスポイント（ＳＡＰ）を介して前記受信側第２のエンティティから圧縮ヘッダパケットを受信するとヘッダ圧縮解除を実行し、前記パケットを前記少なくとも１つの無線ベアラを介して前記上位階層に伝送する、請求項２３に記載の方法。
【請求項２５】
前記少なくとも１つの無線ベアラは、前記ＰＤＣＰエンティティに関連付けられており、前記ＰＤＣＰエンティティは、それぞれのＴＭまたはＵＭ  ＳＡＰを介して一対のＴＭまたはＵＭ  ＲＬＣエンティティに関連付けられている、請求項２０に記載の方法。
【請求項２６】
前記２つのＲＬＣエンティティは、前記ＰＤＣＰエンティティから受信したパケットを送信側論理チャネルを介して伝送する送信側ＲＬＣエンティティと、受信側論理チャネルを介してパケットを受信し、前記パケットを前記ＰＤＣＰエンティティに伝送する受信側ＲＬＣエンティティとである、請求項２５に記載の方法。
【請求項２７】
前記第１のエンティティは、単方向特性を有する２つの無線ベアラを含む少なくとも１つの無線ベアラに関連付けられており、前記２つの無線ベアラは、送信側無線ベアラと受信側無線ベアラとをさらに含む、請求項１６に記載の方法。
【請求項２８】
前記ＰＤＣＰエンティティは、前記送信側無線ベアラにマッピングされる送信側モジュールと、前記受信側無線ベアラにマッピングされる受信側モジュールとを含む、請求項２７に記載の方法。
【請求項２９】
前記ヘッダ圧縮器は、前記送信側無線ベアラを介して上位階層からパケットを受信するとヘッダ圧縮を実行することにより圧縮ヘッダパケットを生成し、前記圧縮ヘッダパケットを前記送信側ＳＡＰを介して前記送信側ＲＬＣエンティティに伝送し、前記ヘッダ圧縮解除器は、前記受信側ＳＡＰを介して前記受信側ＲＬＣエンティティから圧縮ヘッダパケットを受信するとヘッダ圧縮解除を実行し、前記受信側無線ベアラを介して前記上位階層に前記パケットを伝送する、請求項２７に記載の方法。
【請求項３０】
無線インタフェースプロトコル構造を用いて無線通信を行う装置であって、
ＰＤＣＰ（Ｐａｃｋｅｔ  Ｄａｔａ  Ｃｏｎｖｅｒｇｅｎｃｅ  Ｐｒｏｔｏｃｏｌ）エンティティと、
ＲＬＣ（Ｒａｄｉｏ  Ｌｉｎｋ  Ｃｏｎｔｒｏｌ）階層に位置するＲＬＣエンティティと、
前記ＰＤＣＰエンティティおよび前記ＲＬＣエンティティと通信するサービスアクセスポイント（ＳＡＰ）であって、再伝送機能を実行することなく前記ＳＡＰを介して両方向に前記ＰＤＣＰエンティティと前記ＲＬＣエンティティとの間でパケット転送サービスが提供され、前記ＲＬＣエンティティは、リアルタイム応答モード（Ｒｅａｌ  Ｔｉｍｅ  Ａｃｋｎｏｗｌｅｄｇｅｄ  Ｍｏｄｅ：ＲＡＭ）、両方向透明モード（Ｂｉｄｉｒｅｃｔｉｏｎａｌ  Ｔｒａｎｓｐａｒｅｎｔ  Ｍｏｄｅ：ＢＴＭ）、両方向無応答モード（Ｂｉｄｉｒｅｃｔｉｏｎａｌ  Ｕｎａｋｎｏｗｌｅｄｇｅｄ  Ｍｏｄｅ：ＢＵＭ）のうちの１つにおいて動作する、サービスアクセスポイント（ＳＡＰ）と、
前記ＲＬＣエンティティを少なくとも１つの論理チャネルにマッピングするプロセッサと
を含む、装置。
【請求項３１】
前記ＰＤＣＰエンティティは、ＰＤＣＰ階層に位置し、かつ、無線ベアラ（ＲＢ）と通信し、前記ＲＬＣエンティティは、リアルタイムパケット転送サービスを前記ＰＤＣＰエンティティに提供する、請求項３０に記載の装置。
【請求項３２】
前記ＲＢは、両方向特性を有している、請求項３１に記載の装置。
【請求項３３】
前記ＰＤＣＰエンティティは、ヘッダ圧縮器とヘッダ圧縮解除器とを含み、前記ＲＬＣエンティティは、前記ヘッダ圧縮器にマッピングされる送信側モジュールと、前記ヘッダ圧縮解除器にマッピングされる受信側モジュールとを含む、請求項３０に記載の装置。
【請求項３４】
前記装置は、移動局に含まれている、請求項３０に記載の装置。
【請求項３５】
前記装置は、ネットワークに含まれている、請求項３０に記載の装置。
【請求項３６】
前記少なくとも１つの論理チャネルは、一対の送信側論理チャネルおよび受信側論理チャネルを含み、前記ＲＬＣエンティティは、前記送信側論理チャネルおよび受信側論理チャネルにそれぞれマッピングされる送信側モジュールおよび受信側モジュールを含む、請求項３０に記載の装置。
【請求項３７】
前記ヘッダ圧縮器は、前記ＲＢを介して上位階層からパケットを受信するとヘッダ圧縮を実行することにより圧縮ヘッダパケットを生成し、前記ヘッダ圧縮解除器は、前記ＲＬＣエンティティから圧縮ヘッダパケットを受信するとヘッダ圧縮解除を実行する、請求項３３に記載の装置。
【請求項３８】
前記ＰＤＣＰエンティティは、１つのリアルタイム応答モード（Ｒｅａｌ  ｔｉｍｅ  Ａｃｋｎｏｗｌｅｄｇｅｄ  Ｍｏｄｅ：ＲＡＭ）ＳＡＰを介して１つのＲＡＭ  ＲＬＣエンティティに関連付けられている、請求項３６に記載の装置。
【請求項３９】
前記受信側のＲＡＭ  ＲＬＣエンティティは、再伝送関連情報を含まない応答信号を伝送することにより、前記パケット再伝送に関連する機能およびパラメータを非活性化し、前記応答信号は、再伝送タイマー、カウンター、送受信ウィンドウを含む群のうちの少なくとも１つを含む、請求項３８に記載の装置。
【請求項４０】
前記ＰＤＣＰエンティティは、１つの両方向透明モード（ＴＭ）または無応答モード（ＵＭ）（ＢＴＭ／ＢＵＭ）ＳＡＰを介して１つの両方向ＢＴＭ／ＢＵＭ  ＲＬＣエンティティに関連付けられており、前記ＢＴＭ／ＢＵＭ  ＲＬＣエンティティは、前記少なくとも１つの論理チャネルを介してＭＡＣ（Ｍｅｄｉｕｍ  Ａｃｃｅｓｓ  Ｃｏｎｔｒｏｌ）階層に関連付けられている、請求項３０に記載の装置。
【請求項４１】
前記ＰＤＣＰエンティティは、ヘッダ圧縮機能と圧縮解除機能とを有し、前記ＰＤＣＰエンティティは、無線ベアラ（ＲＢ）を介して上位階層からパケットを受信するとヘッダ圧縮を実行することにより圧縮ヘッダパケットを生成し、前記圧縮ヘッダパケットを前記ＲＬＣエンティティに伝送し、前記ＰＤＣＰエンティティは、前記ＲＬＣエンティティから圧縮ヘッダパケットを受信するとヘッダ圧縮解除を実行し、圧縮解除されたヘッダパケットを前記上位階層に伝送する、請求項３０に記載の装置。
【請求項４２】
無線インタフェースプロトコル構造を用いて無線通信を行う装置であって、
ＰＤＣＰ（Ｐａｃｋｅｔ  Ｄａｔａ  Ｃｏｎｖｅｒｇｅｎｃｅ  Ｐｒｏｔｏｃｏｌ）階層に位置するＰＤＣＰエンティティである第１のエンティティと、
ＲＬＣ（Ｒａｄｉｏ  Ｌｉｎｋ  Ｃｏｎｔｒｏｌ）階層に位置するＲＬＣエンティティである２つの第２のエンティティと、
前記第１のエンティティおよび前記２つの第２のエンティティと通信する第１および第２のサービスアクセスポイント（ＳＡＰ）であって、前記第１のサービスアクセスポイント（ＳＡＰ）を介して前記第１のエンティティと前記２つの第２のエンティティのうちの一方との間でパケット転送サービスが提供され、前記第２のサービスアクセスポイント（ＳＡＰ）を介して前記第１のエンティティと前記第２つの第２のエンティティのうちの他方との間でパケット転送サービスが提供される、第１および第２のサービスアクセスポイント（ＳＡＰ）と、
前記第１のエンティティを前記２つの第２のエンティティにマッピングするプロセッサであって、各第２のエンティティは、異なる方向に対して用いられ、前記２つの第２のエンティティは、単方向透明モード（Ｕｎｉｄｉｒｅｃｉｔｉｏｎａｌ  Ｔｒａｎｓｐａｒｅｎｔ  Ｍｏｄｅ：ＴＭ）および単方向無応答モード（Ｕｎｉｄｉｒｅｃｔｉｏｎａｌ  Ｕｎａｃｋｎｏｗｌｅｄｇｅｄ  Ｍｏｄｅ：ＵＭ）のうちの少なくとも一方において動作する、プロセッサと
を含む、装置。
【請求項４３】
前記装置は、移動局に含まれる、請求項４２に記載の装置。
【請求項４４】
前記装置は、ネットワークに含まれる、請求項４２に記載の装置。
【請求項４５】
前記第１のサービスアクセスポイント（ＳＡＰ）は、送信側サービスアクセスポイント（ＳＡＰ）であり、前記第２のサービスアクセスポイント（ＳＡＰ）は、受信側サービスアクセスポイント（ＳＡＰ）であり、前記パケット転送サービスは、各ＳＡＰを介して異なる方向に提供される、請求項４２に記載の装置。
【請求項４６】
前記２つの第２のエンティティのうちの１つは、前記第２のサービスアクセスポイント（ＳＡＰ）を介してリアルタイムパケット転送サービスを前記第１のエンティティに提供する、請求項４５に記載の装置。
【請求項４７】
前記第１のエンティティは、少なくとも１つの無線ベアラ（ＲＢ）に関連付けられている、請求項４２に記載の装置。
【請求項４８】
前記少なくとも１つの無線ベアラは、単方向特性または両方向特性を有している、請求項４７に記載の装置。
【請求項４９】
前記第１のエンティティは、ヘッダ圧縮器とヘッダ圧縮解除器とを含み、前記２つの第２のエンティティは、送信側エンティティおよび受信側エンティティであり、前記送信側第２のエンティティは、前記第１のエンティティから受信されたパケットを送信側論理チャネルを介して伝送し、前記受信側第２のエンティティは、受信側論理チャネルを介してパケットを受信し、前記パケットを前記第１のエンティティに伝送する、請求項４２に記載の装置。
【請求項５０】
前記ヘッダ圧縮器およびヘッダ圧縮解除器は、前記送信側第２のエンティティおよび前記受信側第２のエンティティにそれぞれマッピングされ、前記ヘッダ圧縮器は、前記少なくとも１つの無線ベアラを介して上位階層からパケットを受信するとヘッダ圧縮を実行することにより圧縮ヘッダパケットを生成し、前記圧縮ヘッダパケットを送信側サービスアクセスポイントを介して前記送信側第２のエンティティに伝送し、前記ヘッダ圧縮解除器は、受信側サービスアクセスポイントを介して前記受信側第２のエンティティから圧縮ヘッダパケットを受信するとヘッダ圧縮解除を実行し、前記パケットを前記少なくとも１つの無線ベアラを介して前記上位階層に伝送する、請求項４９に記載の装置。
【請求項５１】
前記少なくとも１つの無線ベアラは、前記ＰＤＣＰエンティティに関連付けられており、前記ＰＤＣＰエンティティは、それぞれのＴＭまたはＵＭ  ＳＡＰを介して一対のＴＭまたはＵＭ  ＲＬＣエンティティに関連付けられている、請求項４８に記載の装置。
【請求項５２】
前記ＰＤＣＰエンティティは、ヘッダ圧縮器とヘッダ圧縮解除器とを含み、前記２つのＲＬＣエンティティは、前記ＰＤＣＰエンティティから受信したパケットを送信側論理チャネルを介して伝送する送信側ＲＬＣエンティティと、受信側論理チャネルを介してパケットを受信し、前記パケットを前記ＰＤＣＰエンティティに伝送する受信側ＲＬＣエンティティとである、請求項５１に記載の装置。
【請求項５３】
前記少なくとも１つのＲＢは、単方向特性を有する２つのＲＢを含み、前記２つのＲＢは、送信側ＲＢと受信側ＲＢとをさらに含み、前記ＰＤＣＰエンティティは、前記送信側ＲＢにマッピングされる送信側モジュールと、前記受信側ＲＢにマッピングされる受信側モジュールとを含む、請求項５２に記載の装置。
【請求項５４】
前記ヘッダ圧縮器は、前記送信側無線ベアラを介して上位階層からパケットを受信するとヘッダ圧縮を実行することにより圧縮ヘッダパケットを生成し、前記圧縮ヘッダパケットを送信側ＳＡＰを介して前記送信側ＲＬＣエンティティに伝送し、前記ヘッダ圧縮解除器は、受信側ＳＡＰを介して前記受信側ＲＬＣエンティティから圧縮ヘッダパケットを受信するとヘッダ圧縮解除を実行し、前記パケットを前記受信側ＲＢを介して前記上位階層に伝送する、請求項５２に記載の装置。
【発明の詳細な説明】
【技術分野】
【０００１】
本発明は、移動通信システムに関し、特に、両方向リアルタイム通信サービスを支援するための移動通信方法及びシステムに関する。
【背景技術】
【０００２】
一般的に、ＵＭＴＳ(Universal Mobile Telecommunication System)は、ヨーロッパ式標準であるＧＳＭ(Global System for Mobile Communications)システムから進化した第３世代非同期式移動通信システムであり、ＧＳＭコアネットワーク(Core Network)及びＷＣＤＭＡ(Wideband Code Division Multiple Access)技術を基盤にしてより向上した移動通信サービスを提供することを目標とする。
【０００３】
ＵＭＴＳの標準化作業のために、１９９８年１２月にヨーロッパのＥＴＳＩ、日本のＡＲＩＢ／ＴＴＣ、米国のＴ１及び韓国のＴＴＡなどは、第３世代共同プロジェクト(Third Generation Partnership Project: 以下、３ＧＰＰと称する。)を構成し、現在までＵＭＴＳの細部的な標準明細書(Specification)を作成中である。
【０００４】
３ＧＰＰは、ＵＭＴＳの迅速で効率的な技術開発のために、ネットワーク構成要素及びこれらの動作に対する独立性を考慮してＵＭＴＳの標準化作業を５つの技術規格グループ(Technical Specification Groups: 以下、ＴＳＧと称する)に分けて進行している。
【０００５】
各ＴＳＧは、関連した領域内で標準規格の開発、承認、及び管理を担当するが、このうち、無線接続ネットワーク(Radio Access Network: 以下、ＲＡＮと称する)グループ(ＴＳＧ-ＲＡＮ)は、ＵＭＴＳがＷＣＤＭＡ技術を支援するための新しい無線接続ネットワークであるＵＴＲＡＮ(Universal Mobile Telecommunication Network Terrestrial Radio Access Network)の機能、要求事項及びインターフェースに対する規格を開発する。
【０００６】
さらに、ＴＳＧ-ＲＡＮグループは、全体会議(Plenary)グループと４つの運営グループ(Working Group)から構成される。第１の運営グループ(Working Group 1: ＷＧ１)は、物理階層(第１階層)に対する規格を開発し、第２の運営グループ(ＷＧ２)は、データリンク階層(第２階層)及びネットワーク階層(第３階層)の役割を規定する。また、第３運営グループ(ＷＧ３)は、ＵＴＲＡＮの基地局、無線ネットワーク制御器(Radio Network Controller: 以下、ＲＮＣと称する)、コアネットワーク(Core Network: ＣＮ)間のインターフェースに対する規格を決定し、第４運営グループ(ＷＧ４)は、無線リンク性能に関する要求条件及び無線資源管理に対する要求事項などを議論する。
【０００７】
図１は、一般的なＵＭＴＳネットワーク構成の一例を示す。
【０００８】
ＵＭＴＳは、端末１０、ＵＴＲＡＮ２０及びコアネットワーク３０からなっている。ＵＴＲＡＮ２０は、１つ以上の無線ネットワークサブシステム(Radio Network Sub-system)２５から構成され、各無線ネットワークサブシステム２５は、１つの無線ネットワーク制御機(ＲＮＣ)２３及びこのＲＮＣ２３によって管理される１つ以上の基地局(Node B)２１から構成される。
【０００９】
ノードＢ２１は、ＲＮＣ２３によって管理され、上向リンクを通じては端末１０の物理階層が送る情報を受信し、下向リンクを通じては端末１０にデータを送信することにより、端末１０に対するＵＴＲＡＮ２０のアクセスポイント(Access Point)の役割を担当する。ＲＮＣ２０は、無線資源の割り当て及び管理を担当し、コアネットワーク３０とのアクセスポイント役割を担当する。
【００１０】
特定端末１０に提供されるサービスは、回線交換サービス(Circuit Switched Service)とパケット交換サービス(Packet Switched Service)に区分されるが、例えば、一般的な音声電話サービスは、回線交換サービスに属し、インターネット接続を通したウェブブラウジングサービスは、パケット交換サービスに分類される。
【００１１】
回線交換サービスを支援する場合、ＲＮＣ２０は、コアネットワーク３０のＭＳＣ３１と連結され、前記ＭＳＣ３１は、他のネットワークとの接続を管理するＧＭＳＣ(Gateway Mobile Switching Center)３３と連結される。
【００１２】
一方、パケット交換サービスの場合、コアネットワーク３０のＳＧＳＮ(Serving GPRS Support Node)３５及びＧＧＳＮ(Gateway GPRS Support Node)３７によってサービスが提供される。
【００１３】
ＳＧＳＮ３５は、ＲＮＣ２３に向かうパケット通信を支援し、ＧＧＳＮ３７は、インターネットなどの他のパケット交換網への連結を管理する。
【００１４】
多様なネットワーク構成要素間には、相互間の通信のために情報をやり取りすることのできるインターフェースが存在するが、ＲＮＣ２３とコアネットワーク３０との有線インターフェースをＩｕインターフェースと定義する。
【００１５】
前記Ｉｕインターフェースがパケット交換領域と連結された場合は、Ｉｕ-ＰＳと定義し、回線交換領域と連結された場合は、Ｉｕ-ＣＳと定義する。
【００１６】
また、端末１０とＵＴＲＡＮ２０間の無線接続インターフェースをＵｕインターフェースと定義する。
【００１７】
図２は、図１のＵｕインターフェースに適用される無線インターフェースプロトコルの構成を示すブロック図である。
【００１８】
前記Ｕｕインターフェースのためのプロトコルは、垂直的には物理階層、データリンク階層及びネットワーク階層からなり、水平的にはデータ情報伝送のための使用者平面(User Plane)と制御信号(Signaling)伝達のための制御平面(Control Plane)とに区分される。
【００１９】
使用者平面は、音声またはＩＰ(Internet Protocol)パケットの伝送などのように使用者のトラフィック情報が伝達される領域であり、制御平面は、ネットワークのインターフェースまたは呼の維持及び管理などの制御情報が伝達される領域である。
【００２０】
図２に示す垂直的プロトコル階層は、通信システムで広く知られている開放型システム間相互接続(Open System Interface: ＯＳＩ)基準モデルの下位３つの階層を基礎にして第１の階層(物理階層：ＰＨＹ：Ｌ１)、第２の階層(データリンク階層：ＭＡＣ、ＲＬＣ及びＰＤＣＰ：Ｌ２)、第３の階層(ネットワーク階層：ＲＲＣ：Ｌ３)に区分されることができる。
【００２１】
前記第１の階層は、多様な無線伝送技術を利用し、上位階層(upper layer)の第２の階層(媒体接続制御(Medium Access Control: ＭＡＣ))に情報伝送サービス(Information Transfer Service)を提供する。
【００２２】
前記第１の階層は、ＭＡＣ階層及び伝送チャネル(Transport Channel)を通じて連結され、この伝送チャネルを通じてＭＡＣ階層とＰＨＹ階層との間にデータが移動する。
【００２３】
ＭＡＣ階層は、無線資源の割り当て及び再割り当てのためのＭＡＣパラメーターの再割り当てサービスを提供する。
【００２４】
ＭＡＣ階層は、無線リンク制御(Radio Link Control: ＲＬＣ)階層とは論理チャネル(Logical Channel)を通じて連結され、伝送される情報の種類によって多様な 論理チャネルが提供される。
【００２５】
一般的に、制御平面の情報を伝送する場合は、制御チャネル(Control Channel)を利用し、使用者平面の情報を伝送する場合は、トラフィックチャネル(Traffic Channel)を利用する。
【００２６】
ＲＬＣ階層は、信頼性のあるデータの伝送を支援し、上位階層(upper layer)から伝達されたＲＬＣサービスデータ単位(Service Data Unit: ＳＤＵ)の分割及び再組み立て(Segmentation and Reassembly)機能を遂行することができる。
【００２７】
上位階層から伝達されたＲＬＣ ＳＤＵは、ＲＬＣ階層により、処理容量に合わせてサイズが調節された後、ヘッダ(header)情報が加わってプロトコルデータ単位(Protocol Data Unit: ＰＤＵ)の形態でＭＡＣ階層に伝達される。ＲＬＣ階層には、上位階層から伝達されたＲＬＣ ＳＤＵまたはＲＬＣ ＰＤＵを保存するためのＲＬＣバッファーが存在する。
【００２８】
パケットデータコンバージェンスプロトコル(Packet Data Convergence Protocol: 以下、ＰＤＣＰと称する。)階層は、ＲＬＣ階層の上位に位置する。ＩＰｖ４(Internet Protocol version 4)及びＩＰｖ６(Internet Protocol version 6)のようなネットワークプロトコルを通じて伝送されるデータは、ＰＤＣＰ階層により、相対的に狭い帯域幅を有する無線インターフェース上で効率的に伝送されることができる。
【００２９】
このために、ＰＤＣＰ階層は、有線ネットワークで使用される不要の制御情報を減らす機能を遂行し、この機能は、ヘッダ圧縮(Header Compression)と呼ばれ、ＩＥＴＦ(Internet Engineering Task Force)というインターネット標準化グループによって定義されたＲＦＣ２５０７及びＲＦＣ３０９５(Robust Header Compression: ＲＯＨＣ)というヘッダ圧縮技法が使用される。
【００３０】
このようなヘッダ圧縮技法は、データのヘッダ部分に必須な情報のみを伝送することで、より少ない制御情報を伝送することが可能になり、伝送されるデータ量を減少させることができる。
【００３１】
第３の階層の最下部に位置した無線資源制御(Radio Resource Control: ＲＲＣ)階層は、制御平面のみにおいて定義され、無線運搬者(Radio Bearer: ＲＢ)の設定、維持及び解除と関連し、伝送チャネル及び物理チャネルの制御を担当する。
【００３２】
このとき、ＲＢは、端末１０とＵＴＲＡＮ２０との間のデータ伝達のために第２の階層により提供されるサービスを意味し、一般的にＲＢが設定されるということは、特定サービスを提供するために必要なプロトコル階層及びチャネルの特性を規定し、それぞれの具体的なパラメーター及び動作方法を設定する過程を意味する。
【００３３】
参考として、ＲＬＣ階層は、上位に連結された階層によって使用者平面に属することもでき、制御平面に属することもできる。制御平面に属する場合は、無線資源制御(ＲＲＣ)階層からデータを受信するケースに該当し、その他の場合は、使用者平面に該当する。
【００３４】
また、図２に示すように、ＲＬＣ階層及びＰＤＣＰ階層の場合は、１つの階層内に複数のエンティティ(Entity)が存在することができる。
【００３５】
これは、１つの端末１０が複数のＲＢを有し、１つのＲＢに対して一般的にただ１つのＲＬＣエンティティ及びＰＤＣＰエンティティが使用されるからである。
【００３６】
以下、上記のＲＬＣ階層に対して詳細に説明する。
【００３７】
ＲＬＣ階層は、上位階層から伝達されたＲＬＣ ＳＤＵを対象にして分割及び再組み立て機能を遂行することができ、分割及び再組み立ての後、構成されたＲＬＣペイロード(Payload)にＲＬＣヘッダを加えてＲＬＣ ＰＤＵを構成する。
【００３８】
ＲＬＣ ＰＤＵのヘッダは、伝送されるＲＬＣ ＰＤＵの順序によって付与された一連番号を含むことができるので、相手側のＲＬＣ階層(受信側ＲＬＣ階層)は、受信されたＲＬＣ ＰＤＵの一連番号を検査して伝送中に消失されたＲＬＣ ＰＤＵを検出することができ、該当ＲＬＣ ＰＤＵの再伝送を送信側ＲＬＣ階層に要求することができる。
【００３９】
ＲＬＣ階層は、上位階層が要求する機能によって３つの動作モードが存在し、各 モードによって上位階層から伝達されたＳＤＵを処理する方式が異なる。
【００４０】
これら３つの動作モードは、透明モード(Transparent Mode: ＴＭ)、無応答モード(Unacknowledged Mode: ＵＭ)、応答モード(Acknowledge Mode: ＡＭ)に区分される。
【００４１】
ＲＬＣエンティティがＴＭで動作する場合、ＲＬＣエンティティは、上位階層から伝達されたＲＬＣ ＳＤＵに何のヘッダ情報も追加しない。
【００４２】
一般的に、ＴＭで動作するＲＬＣエンティティは、ＲＬＣ ＳＤＵの分割及び再組み立ての機能を使用しないので 上位階層から伝達されたＲＬＣ ＳＤＵ全体がそのまま伝送される。しかしながら、上位階層により分割が設定される場合、ＲＬＣ ＳＤＵが分割、伝送されることもある。このようにＲＬＣ ＳＤＵが分割されて伝送される場合は、１つのＲＬＣ ＳＤＵから分割されたＲＬＣ ＰＤＵが同時に伝送される。
【００４３】
ＲＬＣエンティティがＵＭで動作する場合、ＲＬＣ ＳＤＵがＲＬＣ ＰＤＵの利用可能な長さより長いと、ＲＬＣエンティティは、ＲＬＣ ＳＤＵを適切なサイズのＲＬＣ ＰＤＵに分割する。
【００４４】
受信側ＲＬＣエンティティがＲＬＣ ＰＤＵからＲＬＣ ＳＤＵを復旧することができるように、各ＲＬＣ ＰＤＵにはヘッダ情報が含まれ、このヘッダ情報は、ＲＬＣ ＳＤＵが終わる位置を指示するか、ＲＬＣ ＰＤＵの一連番号を含むことができる。
【００４５】
しかしながら、ＲＬＣエンティティがＵＭで動作する間には、ＲＬＣ ＰＤＵの伝送が失敗したとしても再伝送を支援しない。言い換えると、伝送中にデータが消失されるか、問題が発生しても、受信側ＲＬＣエンティティは、再伝送を要求せず、送信側ＲＬＣエンティティは、再伝送のためのＲＬＣ ＰＤＵの複写本を貯蔵しない。
【００４６】
ＵＭを利用することのできるサービスとしては、セル放送サービス(Cell Broadcast Service)、ＩＰネットワークを利用した音声サービス(Voice over IP: ＶｏＩＰ)などがある。
【００４７】
最後に、ＲＬＣエンティティの動作モードがＡＭである場合、パケット(ＲＬＣ ＰＤＵ)の伝送失敗のとき、再伝送を支援する。
【００４８】
パケットの伝送失敗の可否は、ＲＬＣ ＰＤＵのヘッダ情報にある一連番号を判読することによって類推することができる。このために、受信側ＲＬＣエンティティは、送信側ＲＬＣエンティティからの伝送が成功したが否かが判断できる状態情報(Status ＰＤＵ)を伝送し、前記状態情報は、消失されたＲＬＣ ＰＤＵの一連番号に関する情報などを含む。
【００４９】
前記ＲＬＣエンティティがＡＭで動作する場合、円滑なパケットの再伝送のために多様なタイマー及びカウンターが定義される。タイマーは、特定ＲＬＣ ＰＤＵが送信された後に駆動されることができ、該当タイマーが満了するまで、これに対する応答信号が受信されないと、ＲＬＣ階層は、該当ＲＬＣ ＰＤＵを廃棄するか、これに関連した追加手順を進行することができる。
【００５０】
カウンターは、特定ＲＬＣ ＰＤＵが伝送される度に１ずつ増加し、カウンターの値が予め決定された値より大きくなるまで該当ＲＬＣ ＰＤＵに対する応答信号を受信することができなかった場合、ＲＬＣ階層は、該当ＲＬＣ ＰＤＵを廃棄するか、これに関連した追加手順を進行することができる。
【００５１】
これと共に、送信側ＲＬＣエンティティ及び受信側ＲＬＣエンティティは、送信または受信できるＲＬＣ ＰＤＵの一連番号の範囲を設定し、これらに基づいてそれぞれ送信ウィンドウ(Transmission Window)及び受信ウィンドウ(Reception Window)を定義する。
【００５２】
送信側ＲＬＣエンティティは、送信ウィンドウ内にあるＲＬＣ ＰＤＵのみを送信することができ、受信側ＲＬＣ階層は、送る状態情報によって送信ウィンドウのサイズを調節するか、更新することができる。
【００５３】
受信側ＲＬＣエンティティは、受信ウィンドウ内にあるＲＬＣ ＰＤＵのみを有効なパケットと見なし、受信ウィンドウの範囲を越える一連番号を有するＲＬＣ ＰＤＵを受信すると、該当ＲＬＣ ＰＤＵを廃棄する。
【００５４】
図３は、図２の階層的無線インターフェースプロトコル構造のＲＬＣ階層を説明するためのブロック図である。
【００５５】
前述したように、ＲＬＣ階層内部には複数のＲＬＣエンティティが存在することができ、各ＲＬＣエンティティは、ＴＭ／ＵＭ／ＡＭのうち１つの動作モードに設定される。
【００５６】
図３に示すように、ＲＬＣエンティティがＴＭまたはＵＭで動作する場合、パケットが単方向性(Uni-directional)で伝達される。つまり、ＴＭ及びＵＭでは、再伝送機能が支援されないため、１つのＲＬＣエンティティは、送信または受信のうち１つの機能のみを担当する。これとは違って、ＲＬＣエンティティがＡＭで動作する場合は、１つのＲＬＣエンティティが送信及び受信の機能を共に遂行する。つまり、ＡＭ ＲＬＣエンティティは、データを両方向性(Bi-directional)で伝送し、これは、ＡＭ ＲＬＣエンティティがパケットを送信する間に受信側からの状態情報を受信することができるということを意味する。詳細に説明すると、ＡＭ ＲＬＣエンティティには送信モジュール(Tx module)及び受信モジュール(Rx module)が同時に存在するので、ＴＭまたはＵＭのように、送信ＲＬＣエンティティまたは受信ＲＬＣエンティティという用語として定義しない。
【００５７】
また、一般的に、１つのＲＢは、１つのＲＬＣエンティティと連結されているので、ＲＢサービスは、下位階層に位置したＲＬＣエンティティの動作モードによって両方向になることも、単方向になることもできる。
【００５８】
以下、それぞれのモードにおけるパケット(ＲＬＣ ＰＤＵ)伝達方式の差異点を説明する。
【００５９】
ＴＭまたはＵＭの場合、送信側ＲＬＣ階層が再伝送を支援しないので、受信側ＲＬＣ階層は、パケットが到着したとたん、上位階層に受信パケットを伝達する。しかしながら、ＡＭの場合は、上位階層の必要によってパケットを順次に伝達する順次伝達(In-sequence Delivery)機能を支援し、上位階層への伝達時に遅延時間が発生する。前記順次伝達機能は、送信側ＲＬＣエンティティが伝送した順序によってＲＬＣ ＳＤＵを含むＲＬＣ ＰＤＵを上位階層に伝達する機能と関連する。
【００６０】
前記受信側ＲＬＣエンティティは、自分の送信側を通じて、１つまたはそれ以上の状態ＰＤＵを両側ＡＭ ＲＬＣエンティティに伝送することで、成功的な受信を知らせるか、あるいは、無くしたＰＤＵの再伝送を要求する。完全なＲＬＣ ＳＤＵが受信されると、前記連係されたＰＤＵは、再結合された後、ＡＭサービスアクセスポイント(ＡＭ ＳＡＰ)を通じて、上位階層に伝達される。
【００６１】
反面、効果的なリアルタイムパケット伝送を支援するために、前記ＰＤＣＰ階層は、パケットスイッチング(ＰＳ)領域において定義される。全てのＰＳ領域無線接続運搬者(Radio Access Bearer: ＲＡＢ)は、１つのＲＢと連係される。
【００６２】
全てのＰＤＣＰエンティティは、ゼロ、１つまたはいくつかの相違するヘッダ圧縮プロトコルを使用する。ＲＯＨＣ(Robust Header Compression)は、ヘッダ圧縮器として適用された一例である。
【００６３】
一般的に、ＲＯＨＣは、伝送エンティティと受信エンティティそれぞれにおいて、ＲＴＰ(Real-time Transport Protocol)／ＵＤＰ(User Datagram Protocol)／ＩＰ(Internet Protocol)パケットのヘッダ情報を圧縮するか、または、圧縮を解除するために使用される。
【００６４】
ここで、ＲＴＰ／ＵＤＰ／ＩＰパケットとは、上位階層から伝達されたパケットがＲＴＰ、ＵＤＰ及びＩＰを通過する間、それによって追加されるヘッダを含んだパケットを意味することであり、前記パケットヘッダは、インターネットを通じて目的地まで伝達され復旧されるために必要な多様なヘッダ情報を含む。
【００６５】
参考として、ＲＴＰプロトコルは、ＵＤＰ／ＩＰプロトコル階層を使用してＶｏＩＰ(Voice over IP)またはストリーミング(Streaming)サービスのようなリアルタイムトラフィックが伝送される時の問題点を補完するために使用され、ＵＤＰは、 ＩＰ上位の伝送階層(transport layer)プロトコルの１つであり、再伝送または流れ制御機能を有して連結指向型サービスを支援するＴＣＰ(Transmission Control Protocol)とは違って、非連結型データ伝送サービスを支援する。
【００６６】
また、ＩＰは、ＯＳＩ参照モデルのネットワーク階層(Network layer)に該当するプロトコルであり、伝送経路の確立やネットワーク住所などによりネットワークの論理的管理の機能を担当する。ＩＰは、接続の終端間伝送されるメッセージの安全性や流れ制御に関与せず、ただパケットを次の目的地に伝達するために最善を尽くすだけであり、成功的な伝達に関しては保障しない。
【００６７】
前記ＲＯＨＣは、同一のパケットストリーム(packet stream)に属する連続したパケットにおいて、パケットヘッダそれぞれのフィールド値がほとんど同一であるということに基づいている。従って、ＲＯＨＣは、パケットヘッダフィールド全体を伝送することでなく、可変するフィールドを伝送する。
【００６８】
参考として、圧縮しないＲＴＰ／ＵＤＰ／ＩＰパケットの全体ヘッダのサイズは、２０オクテットのＩＰヘッダ(IP version 4: ＩＰｖ４)、８オクテットのＵＤＰヘッダ、１２オクテットのＲＴＰヘッダを含んで４０オクテット(octet)であり、ＩＰｖ６の場合は、４０オクテットのＩＰヘッダを含んで６０オクテットであるが、ペイロード(payload)は、使用されたコーディング及びフレームサイズによって一般的に１５〜２０オクテット以下である。
【００６９】
このような数値から見て、伝送効率のためにヘッダサイズを減らすことが要求されることは自明である。ＲＯＨＣによって圧縮されたヘッダは、普通１オクテット〜３オクテット程度まで相当の量を減らすことができる。
【００７０】
ＲＯＨＣは、Ｕモード(Uni-directional mode)、Ｏモード(Bi-directional Optimistic mode)、Ｒモード(Bi-directional Reliable mode)の３種類に分けられる。
【００７１】
ＲＯＨＣがＵモードで動作する場合、パケットは、単方向、つまり、圧縮器(compressor)から圧縮解除器(decompressor)に伝達される。反面、ＲＯＨＣがＯモードまたはＲモードで動作する場合、パケットは両方向に送信される。つまり、圧縮解除器から圧縮器にエラー復旧要請及び重要なコンテキスト更新確認信号を伝送するためにフィードバックチャネルが利用される。
【００７２】
Ｏモードは、圧縮効率を最大化し、最小限のフィードバックチャネルを使用して任意のエラー(residual error)またはコンテキスト無効化(context invalidation)により上位階層に伝達される損傷したヘッダの数を減らすことを目的とする。
【００７３】
Ｒモードは、損失伝送(loss propagation)または損傷伝達に対する堅固性(robustness)を最大化すること、つまり、ヘッダ損失／損傷がバースト(burst)に発生する環境でもコンテキスト無効化(context invalidation)を最小化することを目的とする。
【００７４】
図４は、ＵＭモードで動作するＲＬＣエンティティの一対一(peer-to-peer)通信を説明するためのブロック図である。
【００７５】
Ｕモードで動作する対(peer)をなすＰＤＣＰエンティティのＲＯＨＣ圧縮器及び圧縮解除器は、単方向通信をするので、それぞれの送信側と受信側のＰＤＣＰエンティティは、１つのＴＭまたはＵＭ ＲＬＣエンティティとマッピングされる。
【００７６】
図４において、受信器(ＵＴＲＡＮまたはＵＥ)及び送信器(ＵＴＲＡＮたまはＵＥ)は、Ｕｕインターフェースを通じて通信する。
【００７７】
送信器のＰＤＣＰエンティティは、ＵＭ ＳＡＰを通じて送信ＵＭ ＲＬＣ(Ｔｘ ＵＭ ＲＬＣ)エンティティにマッピングされて送信ＲＯＨＣ(Ｔｘ ＲＯＨＣ)をＵモードで動作させる。また、受信器の対をなすＰＤＣＰエンティティは、ＵＭ ＳＡＰを通じて１つの受信ＵＭ ＲＬＣ(Ｒｘ ＵＭ ＲＬＣ)エンティティにマッピングされる。
【００７８】
上位階層から１つのＰＤＣＰ ＳＤＵが受信されると、送信器のＰＤＣＰエンティティは、前記ＰＤＣＰ ＳＤＵを受信したとたん、Ｔｘ ＲＯＨＣを利用してヘッダ圧縮を遂行し、ＰＤＣＰ ＰＤＵを上位階層から伝達された順序でＵＭ ＳＡＰを通じてＴｘ ＵＭ ＲＬＣエンティティに伝達する。一方、受信側のＰＤＣＰエンティティがＵＭ ＳＡＰを通じてＲｘ ＵＭ ＲＬＣエンティティからＰＤＣＰ ＰＤＵを受信すると、前記受信器のＰＤＣＰエンティティは、ＰＤＣＰ ＳＤＵを復旧するためにＲｘ ＲＯＨＣを利用してＰＤＣＰ ＰＤＵのヘッダ圧縮解除を遂行し、復旧されたＰＤＣＰ ＳＤＵをＵＭ ＲＬＣエンティティから伝達された順序で上位階層に伝達する。
【００７９】
送信器及び受信器のＰＤＣＰエンティティがそれぞれＴｘ及びＲｘ ＴＭ ＲＬＣエンティティとマッピングされる場合、送信器及び受信器は、ＵＭにおける方法と類似した方法で動作する。
【００８０】
図５は、ＲＬＣエンティティがＡＭで動作する場合、従来のＰＤＣＰエンティティ及びＲＬＣエンティティのマッピング構造を説明するブロック図である。
【００８１】
ＵＭ及びＴＭ ＲＬＣエンティティとは違って、ＡＭ ＲＬＣエンティティは、同時に送信及び受信を遂行するために、１つまたは２つの論理チャネルを利用するように設定されることができる。従って、送信器及び受信器のＡＭ ＲＬＣエンティティは、同一の構造を有するので、以下、送信器のＡＭ ＲＬＣエンティティを例にして説明する。
【００８２】
図５において、ＰＤＣＰエンティティは、ＡＭ ＳＡＰを通じて１つのＡＭ ＲＬＣエンティティにマッピングされる。前記ＰＤＣＰエンティティは、ＯモードまたはＲモード(Ｏ／Ｒモード)で動作し、また、ＡＭ ＲＬＣエンティティは、Ｔｘ ＲＬＣモジュール及びＲｘ ＲＬＣモジュールを動作させ、これは、ＰＤＣＰエンティティがＴｘ ＲＯＨＣモジュール及びＲｘ ＲＯＨＣモジュールを活性化させることを意味する。
【００８３】
上位階層からＰＤＣＰ ＳＤＵを受信すると、ＰＤＣＰエンティティは、前記ＰＤＣＰ ＳＤＵを受信したとたん、Ｔｘ ＲＯＨＣモジュールを使用してヘッダ圧縮を遂行して、ＰＤＣＰ ＰＤＵをＡＭ ＲＬＣエンティティのＴｘ ＲＬＣモジュールに伝達して送信側論理チャネルを通じて伝送するようにする。反面、受信側論理チャネルを通じてＲＬＣ ＰＤＵが受信されると、ＲＬＣエンティティのＲｘ ＲＬＣモジュールは、前記ＲＬＣ ＰＤＵを処理してＡＭ ＳＡＰを通じてＰＤＣＰエンティティのＲｘ ＲＯＨＣモジュールにＲＬＣ ＳＤＵ(ＲＬＣ ＰＤＵ)を伝達する。前記Ｒｘ ＲＯＨＣモジュールは、ＰＤＣＰ ＰＤＵのヘッダ圧縮解除を遂行し、ＰＤＣＰ ＳＤＵをＡＭ ＲＬＣエンティティから受信した順序で上位階層に伝達する。
【００８４】
ＲＯＨＣが正常に動作するためには、ＲＬＣ階層からＰＤＣＰ ＰＤＵが迅速にＰＤＣＰエンティティに伝達される必要があるが、ＲＬＣエンティティがＴＭまたはＵＭで動作するＲＬＣエンティティにマッピングされた場合は、ＲＬＣエンティティがＲＬＣ ＳＤＵ(ＰＤＣＰ ＰＤＵ)を受信したとたん、ＰＤＣＰエンティティに伝達するので、ＰＤＣＰエンティティが効果的に動作する。
【００８５】
しかしながら、ＰＤＣＰエンティティが１つのＡＭ ＲＬＣエンティティとマッピングされた場合、ＡＭエンティティは、常に再伝送機能を遂行するので、１つのＲＬＣ ＳＤＵを構成する全てのＲＬＣ ＰＤＵが受信されるまで、ＲＬＣエンティティに伝達することができないため、前記ＰＤＣＰエンティティは正常に動作することができない。
【００８６】
実際に、ＵＭＴＳで使用されている基本的なパケットの伝送単位は１０msであるが、送信側のデータ処理時間、無線インターフェース上での遅延時間、及び受信側でのデータ処理時間などを考慮すると、普通１つのＲＬＣ ＳＤＵが送信側から受信側まで伝達される時間は、５０ms以上が必要である。
【００８７】
しかしながら、一般的に、音声サービスのようなリアルタイムサービスを支援するためには、８０ms程度の遅延時間が必要であり、ＡＭ ＲＬＣエンティティを使用してパケットを再伝送するようになると、最初伝送後にこれに対する否定応答情報(Negative Acknowledge: ＮＡＣＫ)を受信した後、一回の再伝送までかかる時間は少なくとも１５０ms程度が必要である。従って、ＲＯＨＣをＯ／Ｒモードで動作させるＰＤＣＰエンティティをＡＭ ＲＬＣエンティティにマッピングさせると、リアルタイムサービスの品質が低下する。
【００８８】
また、従来のデータ通信方法で、１つのＰＤＣＰエンティティがリアルタイムサービスを支援するために、単方向に動作するただ１つのＴＭまたはＵＭ ＲＬＣエンティティとマッピングされることができるので、両方向リアルタイム通信サービスを提供することができないという問題点がある。
【発明の開示】
【発明が解決しようとする課題】
【００８９】
本発明は、前述したような問題点を解決するために提案され、本発明の目的は、通信システムが透明モード(ＴＭ)あるいは無応答モード(ＵＭ)で動作する間、端末と基地局との間の両方向パケットデータ通信を可能にする無線通信方法及び装置を提供することにある。
【００９０】
本発明の他の目的は、通信システムが応答モード(ＡＭ)で動作する間、端末機と基地局との間のリアルタイムパケットデータ通人を可能にする無線通信方法及び装置を提供することにある。
【００９１】
本発明のまた他の目的は、通信システムにより支援される全てのパケットデータ伝送モードで、端末機と基地局との間のリアルタイム両方向通信を可能にする無線通信方法及び装置を提供することにある。
【課題を解決するための手段】
【００９２】
このような目的を達成するために、本発明によるリアルタイムパケット伝送サービスモード及び信頼性のあるパケット伝送サービスモードを支援する端末機と基地局との間の無線通信方法は、前記リアルタイムパケット伝送サービスモードと信頼性のあるパケット伝送サービスモードのうち１つを選択する段階と、前記端末機と基地局との間に通信チャネルを設定する段階と、前記通信チャネルを通じてリアルタイムにパケットを送信、受信、または同時に送受信する段階と、からなる。
【００９３】
前記チャネル設定段階は、パケットデータコンバージェンスプロトコル(ＰＤＣＰ)階層に位置して少なくとも１つの無線運搬者と連係されるＰＤＣＰエンティティを形成する段階と、無線リンク制御(ＲＬＣ)階層に位置するＲＬＣエンティティを形成する段階と、前記ＲＬＣエンティティを２つの物理チャネルにマッピングする段階と、を含む。
【００９４】
前記ＰＤＣＰエンティティは、前記無線運搬者の特性によってヘッダ圧縮器及びヘッダ圧縮解除器を活性化させるヘッダ圧縮機能を備える。
【００９５】
前記ヘッダ圧縮器は、前記無線運搬者を通じて上位階層からのパケットデータを受信したとたん、ヘッダ圧縮を遂行して圧縮ヘッダパケットを生成し、前記ヘッダ圧縮解除器は、前記ＲＬＣエンティティから圧縮ヘッダパケットを受信したとたん、ヘッダ圧縮解除を遂行する。
【００９６】
本発明の特徴によると、前記ＰＤＣＰエンティティは、１つのＲＬＣエンティティにマッピングされる。前記ＲＬＣエンティティは、ＰＤＣＰエンティティからの圧縮ヘッダパケットを前記論理チャネルのうち１つを通じて伝送する送信モジュール、及び前記論理チャネルのうち他の１つを通じて下位階層からのパケットを受信する受信モジュールを含む。
【００９７】
前記ヘッダ圧縮器は、１つのサービスアクセスポイントを通じて送信モジュールにマッピングされ、前記ヘッダ圧縮解除器は、前記サービスアクセスポイントを通じて受信モジュールにマッピングされる。
【００９８】
本発明の他の特徴によると、前記ＲＬＣエンティティは、パケット再伝送機能を解除させることを特徴とする。
【００９９】
本発明のまた他の特徴によると、前記ＰＤＣＰエンティティは、２つのＲＬＣエンティティにマッピングされることを特徴とする。
【０１００】
前記ＰＤＣＰエンティティは、１つの無線運搬者と連係され、前記２つのＲＬＣエンティティのうち１つは、前記ＰＤＣＰエンティティからのパケットを前記２つの論理チャネルのうち１つを通した送信し、前記２つのＲＬＣエンティティのうち他の１つは、前記２つの論理チャネルのうち他の１つを通じてパケットを受信する。
【０１０１】
前記ヘッダ圧縮器及びヘッダ圧縮解除器は、相違する２つのサービスアクセスポイントを通じて相違するＲＬＣエンティティにマッピングされ、前記ＲＬＣエンティティは、それぞれパケット送信及び受信を担当する。
【０１０２】
本発明のまた他の特徴によると、前記ＰＤＣＰエンティティは、それぞれ単方向特性を有する２つの無線運搬者と連係され、２つのＲＬＣエンティティにマッピングされることを特徴とする。
【０１０３】
前記２つのＲＬＣエンティティのうち１つは、前記２つの論理チャネルのうち１つを通したパケット送信を担当し、前記２つのＲＬＣエンティティのうち他の１つは、前記２つの論理チャネルのうち他の１つを通したパケット受信を担当する。
【０１０４】
前記ヘッダ圧縮器及びヘッダ圧縮解除器は、相違するサービスアクセスポイントを通じて相違するＲＬＣエンティティとマッピングされ、前記ＲＬＣエンティティは、それぞれパケットの送信及び受信を担当する。
【０１０５】
前述したような目的を達成するために、本発明による端末機と基地局との間に少なくとも１つの通信チャネルを有する無線通信システムにおいて、前記それぞれの端末機及び基地局は、上位階層に提供されるサービス特性によってリアルタイムパケット伝送サービスモード及び信頼性のあるパケット伝送サービスモードのうち１つを選択するモードセレクタと、前記モードセレクタにより選択されたサービスモードに基づいて端末機と基地局との間の通信チャネルを設定するチャネル設定ユニットと、から構成され、前記チャネル設定ユニットは、前記端末機及び基地局が前記リアルタイムパケット伝送サービスモード及び前記信頼性のあるパケット伝送サービスモードで両方向にパケットを交換することができるように通信チャネルを設定する。
【発明の効果】
【０１０６】
このように、本発明による移動通信システムにおけるデータ伝送システムは、１つのＲＬＣエンティティに送信モジュール及び受信モジュールを備えるか、送信のための単方向伝送を遂行するＲＬＣエンティティ及び受信のための単方向伝送を遂行するＲＬＣエンティティを備えることによって、Ｏ／ＲモードＲＯＨＣを採択したＰＤＣＰエンティティに両方向リアルタイム通信サービスを提供することができる。
【０１０７】
本発明は、単方向伝送を遂行するモジュールを送信経路及び受信経路にそれぞれ備える１つのＲＬＣエンティティを利用してＰＤＣＰエンティティに両方向リアルタイム伝送を提供することができるという効果がある。
【０１０８】
本発明は、両方向伝送モードのＲＬＣエンティティがリアルタイム伝送を妨害する再伝送機能を遂行しないようにすることで、１つのＲＬＣエンティティがＰＤＣＰエンティティに両方向リアルタイム伝送を提供することができるという効果がある。
【０１０９】
本発明は、送信のための単方向伝送モードＲＬＣエンティティ及び受信のための単方向伝送モードＲＬＣエンティティを利用してＰＤＣＰエンティティに両方向リアルタイム伝送を提供することができるというできる効果がある。
【０１１０】
本発明は、送受信を担当する１つの無線運搬者がＯ／ＲモードＲＯＨＣを採択したＤＰＣＰエンティティを支援することもでき、送信を担当するＲＢ及び受信を担当する無線運搬者がＯ／ＲモードＲＯＨＣを採択したＤＰＣＰエンティティを支援することもできるので、無線運搬者の伝送モードを制限する必要がないという効果がある。
【０１１１】
本発明は、Ｏ／ＲモードＲＯＨＣを採択したＤＰＣＰエンティティを、両方向リアルタイム伝送を遂行するＲＬＣエンティティが支援することによって、ＣＳ(Circuit Switched)及びＰＳ(Packet Switched)サービスの両方に対して両方向リアルタイムサービスが可能になるという効果がある。
【発明を実施するための最良の形態】
【０１１２】
以下、図面を参照して本発明の望ましい実施形態を説明する。
【０１１３】
図６は、本発明の一実施形態による移動通信システムにおいて、両方向リアルタイムサービスのためのＰＤＣＰエンティティ−ＲＬＣエンティティマッピング構造を示すブロック図である。
【０１１４】
図６に示すように、１つのＲＢは、ＰＤＣＰ階層に位置する１つのＰＤＣＰエンティティと連係され、前記ＰＤＣＰエンティティは、ＢＴＭ／ＢＵＭ ＳＡＰを通じてＲＬＣ階層に位置する１つの両方向ＴＭまたは両方向ＵＭ(ＢＴＭ／ＢＵＭ)エンティティと連係されている。前記ＢＴＭ／ＢＵＭ ＲＬＣエンティティは、２つの論理チャネルを通じてＭＡＣ階層と連係されている。
【０１１５】
ＰＤＣＰエンティティは、上位階層から伝達されるＰＤＣＰ ＳＤＵに対してヘッダ圧縮を遂行するＴｘ ＲＯＨＣモジュール及び下位階層から伝達されるＰＤＣＰ ＰＤＵに対してヘッダ圧縮解除を遂行するＲｘ ＲＯＨＣモジュールを含む。
【０１１６】
本発明において、ＰＤＣＰエンティティのヘッダ圧縮／解除機能のためにＲＯＨＣプロトコルが使用されているが、これに限定されず、上位階層のプロトコルによって多様な形態のヘッダ圧縮プロトコルが使用されることができる。
【０１１７】
前記ＢＴＭ／ＢＵＭ ＲＬＣエンティティは、前記ＰＤＣＰエンティティから受信されたＲＬＣ ＳＤＵを送信側論理チャネルに伝達するためのＴｘモジュール及び受信側論理チャネルを通じてＲＬＣ ＰＤＵを受信するためのＲｘモジュールを含む。
【０１１８】
前記Ｔｘ ＲＯＨＣモジュールは、上位階層からＰＤＣＰ ＳＤＵを受信したとたん、ヘッダ圧縮を遂行して生成されたＰＤＣＰ ＰＤＵを前記ＢＴＭ／ＢＵＭ ＳＡＰを通じて前記ＢＴＭ／ＢＵＭ ＲＬＣエンティティに伝達する。
【０１１９】
反面、前記ＢＴＭ／ＢＵＭ ＲＬＣエンティティのＲｘモジュールが受信側論理チャネルを通じてＲＬＣ ＰＤＵを受信すると、前記Ｒｘモジュールは、ＰＤＣＰ ＰＤＵ(ＲＬＣ ＳＤＵ)を前記ＢＴＭ／ＢＵＭ ＳＡＰを通じて前記ＰＤＣＰエンティティのＲｘ ＲＯＨＣモジュールに伝達する。前記Ｒｘ ＲＯＨＣモジュールは、前記ＰＤＣＰ ＰＤＵを受信したとたん、ヘッダ圧縮解除を実行してＰＤＣＰ ＳＤＵを上位階層に伝達する。
【０１２０】
１つのＢＴＭ／ＢＵＭ ＲＬＣエンティティがそれぞれ送信側論理チャネルと受信側論理チャネルにマッピングされているＴｘ及びＲｘモジュールを備えているので、前記ＢＴＭ／ＢＵＭ ＲＬＣエンティティは、両方向通信を支援することができる。両方向リアルタイムサービスを支援するために、前記ＰＤＣＰエンティティは、前記ＲＯＨＣをＯ／Ｒモードで動作させる。
【０１２１】
以下、本発明の第１の実施形態によるＰＤＣＰエンティティ−ＲＬＣエンティティマッピング構造を適用して両方向リアルタイム通信を支援する無線通信システムの動作を説明する。
【０１２２】
第１の実施形態のＰＤＣＰエンティティ−ＲＬＣエンティティマッピング構造は、送信器(ＵＥまたはＵＴＲＡＮ)及び受信器(ＵＥまたはＵＴＲＡＮ)の無線インターフェースプロトコル構造に同一に具現されていると仮定する。
【０１２３】
送信器において、１つのパケットがＲＢを通じて伝達されると、ＰＤＣＰ階層に位置する前記ＰＤＣＰエンティティのＴｘ ＲＯＨＣモジュールは、前記パケットに対してヘッダ圧縮を遂行し、圧縮ヘッダパケットを前記ＢＴＭ／ＢＵＭ ＳＡＰを通じてＢＴＭ／ＢＵＭ ＲＬＣエンティティのＴｘモジュールに伝達する。前記ＢＴＭ／ＢＵＭ ＲＬＣエンティティのＴｘモジュールは、圧縮ヘッダパケットを下位階層を通じて受信器に伝送する。
【０１２４】
受信器が前記圧縮ヘッダパケットを受信すると、前記ＢＴＭ／ＢＵＭ ＲＬＣエンティティのＲｘモジュールは、前記圧縮ヘッダパケットを直ちに前記ＰＤＣＰエンティティのＲｘ ＲＯＨＣモジュールに伝達する。前記ＰＤＣＰエンティティのＲｘ ＲＯＨＣモジュールは、圧縮ヘッダパケットに対するヘッダ圧縮解除を遂行し、圧縮解除されたパケットを上位階層に伝達する。
【０１２５】
前記受信器のＰＤＣＰエンティティが送信器に状態情報を伝送することにより、送信器のＰＤＣＰエンティティは、前記状態情報に基づいて、使用される圧縮方法及び前記伝送されたパケットの受信器への成功的受信の可否が分かる。
【０１２６】
図７は、本発明の第２の実施形態による移動通信システムにおいて、両方向リアルタイムサービスのためのＰＤＣＰエンティティ−ＲＬＣエンティティマッピング構造を示すブロック図である。
【０１２７】
図７に示すように、１つのＲＢは、ＰＤＣＰ階層に位置する１つのＰＤＣＰエンティティと連係され、前記ＰＤＣＰエンティティは、１つのリアルタイムＡＭ ＳＡＰ(ＲＡＭ ＳＡＰ)を通じて１つのリアルタイムＡＭ ＲＬＣ(ＲＡＭ ＲＬＣ)エンティティと連係される。前記ＲＡＭ ＲＬＣエンティティは、２つの論理チャネルを通じてＭＡＣ階層と連係される。
【０１２８】
ＰＤＣＰエンティティは、上位階層から伝達されるＰＤＣＰ ＳＤＵに対してヘッダ圧縮を遂行するＴｘ ＲＯＨＣモジュール及び下位階層から伝達されるＰＤＣＰ ＰＤＵに対してヘッダ圧出解除を遂行するＲｘ ＲＯＨＣモジュールを含む。
【０１２９】
前記ＲＡＭ ＲＬＣエンティティは、前記ＰＤＣＰエンティティから伝達されたＲＬＣ ＳＤＵを送信側論理チャネルに伝達するためのＴｘモジュール及び受信側論理チャネルを通じてＲＬＣ ＰＤＵを受信するためのＲｘモジュールを含む。
【０１３０】
前記Ｔｘ ＲＯＨＣモジュールは、上位階層からＰＤＣＰ ＳＤＵを受信したとたん、ヘッダ圧縮を遂行して生成されたＰＤＣＰ ＰＤＵを前記ＲＡＭ ＳＡＰを通じて前記ＲＡＭ ＲＬＣエンティティに伝達する。
【０１３１】
反面、前記ＲＡＭ ＲＬＣエンティティのＲｘモジュールが受信側論理チャネルを通じてＲＬＣ ＰＤＵを受信すると、前記Ｒｘモジュールは、ＰＤＣＰ ＰＤＵ(ＲＬＣ ＳＤＵ)を前記ＲＡＭ ＳＡＰを通じて前記ＰＤＣＰエンティティのＲｘ ＲＯＨＣモジュールに伝達する。前記Ｒｘ ＲＯＨＣモジュールは、前記ＰＤＣＰ ＰＤＵを受信したとたん、ヘッダ圧縮解除を実行してＰＤＣＰ ＳＤＵを上位階層に伝達する。
【０１３２】
１つのＲＡＭ ＲＬＣエンティティが送信側及び受信側論理チャネルとマッピングされるそれぞれのＴｘ及びＲｘモジュールを備えているので、ＲＡＭ ＲＬＣエンティティは、両方向通信を支援することができる。両方向リアルタイムサービスを支援するために、前記ＰＤＣＰエンティティは、ＲＯＨＣをＯ／Ｒモードで動作させることが望ましい。
【０１３３】
本発明の第２の実施形態によるＲＡＭエンティティは、再伝送機能がないという 点を除くと、従来のＡＭ ＲＬＣエンティティと類似している。再伝送機能を非活性させることにより、ＲＡＭ ＲＬＣエンティティは、送信器及び受信器における処理遅延なしでＰＤＣＰ ＰＤＵを上位階層に伝達することができる。
【０１３４】
以下、本発明の第２実施形態によるＰＤＣＰエンティティ−ＲＬＣエンティティマッピング構造を適用して両方向リアルタイム通信を支援する無線通信システムの動作を説明する。
【０１３５】
第２実施形態のＰＤＣＰエンティティ−ＲＬＣエンティティマッピング構造は、送信器(ＵＥあるいは ＵＴＲＡＮ)及び受信器(ＵＥあるいは ＵＴＲＡＮ)の無線インターフェースプロトコル構造に同一に具現されていると仮定する。
【０１３６】
送信器において１つのパケットがＲＢを通じて伝達されると、ＰＤＣＰ階層に位置する前記ＰＤＣＰエンティティのＴｘ ＲＯＨＣモジュールは、前記パケットに対してヘッダ圧縮を遂行し、圧縮ヘッダパケットを前記ＲＡＭ ＳＡＰを通じてＲＡＭ ＲＬＣエンティティのＴｘモジュールに伝達する。前記ＲＡＭ ＲＬＣエンティティのＴｘモジュールは、圧縮ヘッダパケットを下位階層を通じて受信器に伝送する。
【０１３７】
受信器が前記圧縮ヘッダパケットを受信すると、前記受信側ＲＡＭ ＲＬＣエンティティのＲｘモジュールは、前記圧縮ヘッダパケットを直ちに前記ＰＤＣＰエンティティのＲｘ ＲＯＨＣモジュールに伝達し、同時に対(peer)をなす送信側ＲＡＭ ＲＬＣエンティティに応答信号(acknowledgement)を伝送する。前記ＰＤＣＰエンティティのＲｘ ＲＯＨＣモジュールは、ヘッダ圧縮パケットに対するヘッダ圧縮解除を遂行し、圧縮解除されたパケットを上位階層に伝達する。
【０１３８】
たとえ、受信器のＲＡＭ ＲＬＣエンティティが応答信号(acknowledgement)を伝送してしても、その応答信号(acknowledgement)は関連情報の再伝送を含まない。つまり、前記ＲＬＣエンティティ対がＲＡＭで動作するとき、その機能及びパラメーターは、順序伝送、再伝送タイマー、カウンター、送受信ウィンドウの使用不能(disable)などの理由によってパケット再伝送と連係される。機能と関連した再伝送の不能(disable)により、リアルタイムサービスの支援可能性が減少され、ＲＬＣ階層では大部分処理遅延が発生する。
【０１３９】
図８は、本発明の第３実施形態による移動通信システムにおいて、両方向リアルタイムサービスのためのＰＤＣＰエンティティ−ＲＬＣエンティティマッピング構造を示すブロック図である。
【０１４０】
図８に示すように、１つのＲＢは、ＰＤＣＰ階層に位置する１つのＰＤＣＰエンティティと連係され、前記ＰＤＣＰエンティティは、それぞれのＴＭまたはＵＭ(ＴＭ／ＵＭ)ＳＡＰ(ＴＭ／ＵＭ ＳＡＰ)を通じて1対のＴＭまたはＵＭ(ＴＭ／ＵＭ)ＲＬＣエンティティ、言い換えると、Ｔｘ ＴＭ／ＵＭエンティティ及びＲｘ ＴＭ／ＵＭエンティティと連係される。前記Ｔｘ及びＲｘ ＴＭ／ＵＭ ＲＬＣエンティティは、それぞれの送信及び受信側論理チャネルにマッピングされる。
【０１４１】
ＰＤＣＰエンティティは、上位階層から伝達されるＰＤＣＰ ＳＤＵに対してヘッダ圧縮を遂行するＴｘ ＲＯＨＣモジュール及び下位階層から伝達されるＰＤＣＰ ＰＤＵに対してヘッダ圧縮解除を遂行するＲｘ ＲＯＨＣモジュールを含む。
【０１４２】
前記Ｔｘ ＲＯＨＣモジュールは、上位階層からのＰＤＣＰ ＳＤＵを受信したとたん、ヘッダ圧縮を遂行して前記Ｔｘ ＴＭ／ＵＭ ＳＡＰを通じてＰＤＣＰ ＰＤＵをＴｘ ＴＭ／ＵＭ ＲＬＣエンティティに伝達する。
【０１４３】
一方、前記Ｔｘ ＴＭ／ＵＭ ＲＬＣエンティティが受信側論理チャネルを通じてＲＬＣ ＰＤＵを受信すると、前記Ｒｘ ＴＭ／ＵＭ ＲＬＣエンティティは、前記Ｒｘ ＴＭ／ＵＭ ＳＡＰを通じてＰＤＣＰ ＰＤＵ(ＲＬＣ ＳＤＵ)をＲｘ ＲＯＨＣモジュールに伝達する。前記Ｒｘ ＲＯＨＣモジュールは、前記ＰＤＣＰ ＰＤＵを受信したとたん、ヘッダ圧縮解除を遂行してＰＤＣＰ ＳＤＵを上位階層に伝達する。
【０１４４】
１つのＴｘ ＴＭ／ＵＭ ＲＬＣエンティティ及び１つのＲｘ ＴＭ／ＵＭ ＲＬＣエンティティがそれぞれＲＬＣ ＰＤＵの送信及び受信を担当するので、両方向通信を支援することができる。両方向リアルタイムサービスを支援するために前記ＰＤＣＰエンティティは、ＲＯＨＣをＯ／Ｒモードで動作させることが望ましい。
【０１４５】
この場合、前記ＴＭ／ＵＭ エンティティは、前記Ｔｘ及びＲｘ ＴＭ／ＵＭ ＲＬＣエンティティが１つのＲＢにマッピングされている１つのＰＤＣＰエンティティに同時にサービスを提供する点を除くと、従来のＴＭ／ＵＭ ＲＬＣエンティティと同一の方式で動作する。
【０１４６】
以下、本発明の第３実施形態に係るＰＤＣＰエンティティ−ＲＬＣエンティティマッピング構造を適用して両方向リアルタイム通信を支援する無線通信システムの動作を説明する。
【０１４７】
第３実施形態のＰＤＣＰエンティティ−ＲＬＣエンティティマッピング構造は、送信器(ＵＥまたはＵＴＲＡＮ)と受信器(ＵＥまたはＵＴＲＡＮ)の無線インターフェースプロトコル構造に同一に具現されていると仮定する。
【０１４８】
送信器において、１つのパケットがＲＢを通じて伝達されると、ＰＤＣＰ階層に位置する前記ＰＤＣＰエンティティのＴｘ ＲＯＨＣモジュールは、前記パケットに対してヘッダ圧縮を遂行し、圧縮ヘッダパケットを前記Ｔｘ ＴＭ／ＵＭ ＳＡＰを通じて前記Ｔｘ ＴＭ／ＵＭ ＲＬＣエンティティに伝達する。前記Ｔｘ ＴＭ／ＵＭ ＲＬＣエンティティは、前記圧縮ヘッダパケットを前記送信側論理チャネルを通じて受信器に伝送する。
【０１４９】
受信器が前記圧縮ヘッダパケットを受信すると、前記受信器のＲｘ ＴＭ／ＵＭ ＲＬＣエンティティは、前記圧縮ヘッダパケットを前記ＰＤＣＰエンティティのＲｘ ＲＯＨＣモジュール に伝達する。前記ＰＤＣＰエンティティのＲｘ ＲＯＨＣモジュールは、前記圧縮ヘッダパケットに対してヘッダ圧縮解除を遂行し、ヘッダ圧縮が解除されたパケットを上位階層に伝達する。前記受信器のＰＤＣＰエンティティが送信器に状態情報を伝送することにより、送信器のＰＤＣＰエンティティは、前記状態情報に基づいて、使用される圧縮方法及び伝送したパケットの受信器への成功的な受信の可否が分かる。
【０１５０】
図９は、本発明の第４実施形態による移動通信システムにおいて、両方向リアルタイムサービスのためのＰＤＣＰエンティティ−ＲＬＣエンティティマッピング構造を示すブロック図である。
【０１５１】
図９に示すように、２つのＲＢがＰＤＣＰ階層に位置する１つのＰＤＣＰエンティティと連係され、前記ＰＤＣＰエンティティは、それぞれのＴＭまたはＵＭ(ＴＭ／ＵＭ)ＳＡＰ(ＴＭ／ＵＭ ＳＡＰ)を通じて1対のＴＭまたはＵＭ(ＴＭ／ＵＭ)ＲＬＣエンティティ、言い換えると、Ｔｘ ＴＭ／ＵＭエンティティ及びＲｘ ＴＭ／ＵＭエンティティと連係される。前記Ｔｘ及びＲｘ ＴＭ／ＵＭ ＲＬＣエンティティは、それぞれの送信及び受信側論理チャネルにマッピングされる。
【０１５２】
この場合、前記２つのＲＢは、両方とも単方向特性を有し、それぞれ送信ＲＢ及び受信ＲＢと見なされる。しかしながら、本発明は、これに限定されず、前記２つのＲＢは、関連した他の要素の修正と共に両方向特性を有するように変換されることができる。
【０１５３】
ＰＤＣＰエンティティは、上位階層から伝達されるＰＤＣＰ ＳＤＵに対してヘッダ圧縮を遂行するＴｘ ＲＯＨＣモジュール及び下位階層から伝達されるＰＤＣＰ ＰＤＵに対してヘッダ圧縮解除を遂行するＲｘ ＲＯＨＣモジュールを含む。
【０１５４】
前記Ｔｘ ＲＯＨＣモジュールは、送信側ＲＢを通じて上位階層からのＰＤＣＰ ＳＤＵを受信したとたん、ヘッダ圧縮を遂行して前記Ｔｘ ＴＭ／ＵＭ ＳＡＰを通じてＰＤＣＰ ＰＤＵをＴｘ ＴＭ／ＵＭ ＲＬＣエンティティに伝達する。
【０１５５】
一方、前記Ｔｘ ＴＭ／ＵＭ ＲＬＣエンティティが受信側論理チャネルを通じてＲＬＣ ＰＤＵを受信すると、前記Ｒｘ ＴＭ／ＵＭ ＲＬＣエンティティは、前記Ｒｘ ＴＭ／ＵＭ ＳＡＰを通じてＰＤＣＰ ＰＤＵ(ＲＬＣ ＳＤＵ)をＲｘ ＲＯＨＣモジュールに伝達する。前記Ｒｘ ＲＯＨＣモジュールは、前記ＰＤＣＰ ＰＤＵを受信したとたん、ヘッダ圧縮解除を遂行して受信側ＲＢを通じてＰＤＣＰ ＳＤＵを上位階層に伝達する。
【０１５６】
１つのＴｘ ＴＭ／ＵＭ ＲＬＣエンティティ及び１つのＲｘ ＴＭ／ＵＭ ＲＬＣエンティティがそれぞれＲＬＣ ＰＤＵの送信及び受信を担当するので、両方向通信が可能である。両方向リアルタイムサービスのために前記ＰＤＣＰエンティティは、ＲＯＨＣをＯ／Ｒモードで動作させることが望ましい。
【０１５７】
第３実施形態と同様に、前記Ｔｘ及びＲｘ ＴＭ／ＵＭ ＲＬＣエンティティは、１つのＰＤＣＰエンティティに同時にサービスを提供する。しかしながら、第４実施形態では、前記ＰＤＣＰエンティティのＴｘ ＲＯＨＣモジュールが送信側ＲＢにマッピングされ、前記ＰＤＣＰエンティティのＲｘ ＲＯＨＣモジュールが受信側ＲＢにマッピングされる。
【０１５８】
以下、本発明の第４実施形態によるＰＤＣＰエンティティ−ＲＬＣエンティティマッピング構造を適用して両方向リアルタイム通信を支援する無線通信システムの動作を説明する。
【０１５９】
第４実施形態のＰＤＣＰエンティティ−ＲＬＣエンティティマッピング構造は、送信器(ＵＥまたはＵＴＲＡＮ)と受信器(ＵＥまたはＵＴＲＡＮ)の無線インターフェースプロトコル構造に同一に具現されていると仮定する。
【０１６０】
送信器において、１つのパケットが送信側ＲＢを通じて伝達されると、ＰＤＣＰ階層に位置するＰＤＣＰエンティティのＴｘ ＲＯＨＣモジュールは、前記パケットに対してヘッダ圧縮を遂行し、圧縮ヘッダパケットを前記Ｔｘ ＴＭ／ＵＭ ＳＡＰを通じてＴｘ ＴＭ／ＵＭ ＲＬＣエンティティに伝達する。前記Ｔｘ ＴＭ／ＵＭ ＲＬＣエンティティは、前記圧縮ヘッダパケットを前記送信側論理チャネルを通じて受信器に伝送する。
【０１６１】
前記受信器が圧縮ヘッダパケットを受信すると、前記受信器のＲｘ ＴＭ／ＵＭ ＲＬＣエンティティは、圧縮ヘッダパケットを直ちに前記ＰＤＣＰエンティティのＲｘ ＲＯＨＣモジュールに伝達する。前記ＰＤＣＰエンティティのＲｘ ＲＯＨＣモジュールは、前記圧縮ヘッダパケットに対してヘッダ圧縮解除を遂行し、ヘッダ圧縮が解除されたパケットを受信側ＲＢを通じて上位階層に伝達する。
【０１６２】
前記受信器のＰＤＣＰエンティティが送信器に状態情報を伝送することにより、送信器のＰＤＣＰエンティティは、前記状態情報に基づいて、使用される圧縮方法及び伝送されたパケットの受信器への成功的な受信の可否が分かる。
【図面の簡単な説明】
【０１６３】
【図１】一般的なＵＭＴＳネットワーク構成の一例を示す図である。
【図２】図１においてＵＥとＵＴＲＡＮとの間にＵｕインターフェースのための無線インターフェースプロトコル構造を示すブロック図である。
【図３】図２の無線インターフェースプロトコル構造においてＲＬＣ階層を説明するためのブロック図である。
【図４】ＵＭで動作するＲＬＣエンティティ間に一対一(peer-to-peer)通信を説明するためのブロック図である。
【図５】ＲＬＣエンティティがＡＭで動作する従来のＰＤＣＰエンティティ−ＲＬＣエンティティマッピング構造を示すブロック図である。
【図６】本発明の一実施形態による移動通信システムにおける両方向リアルタイムサービスのためのＰＤＣＰエンティティ−ＲＬＣエンティティマッピング構造を示すブロック図である。
【図７】本発明の第２実施形態による移動通信システムにおける両方向リアルタイムサービスのためのＰＤＣＰエンティティ−ＲＬＣエンティティマッピング構造を示すブロック図である。
【図８】本発明の第３実施形態による移動通信システムにおける両方向リアルタイムサービスのためのＰＤＣＰエンティティ−ＲＬＣエンティティマッピング構造を示すブロック図である。
【図９】本発明の第４実施形態による移動通信システムにおける両方向リアルタイムサービスのためのＰＤＣＰエンティティ−ＲＬＣエンティティマッピング構造を示すブロック図である。
【図１】
0004077412.tif 000002
【図２】
0004077412.tif 000003
【図３】
0004077412.tif 000004
【図４】
0004077412.tif 000005
【図５】
0004077412.tif 000006
【図６】
0004077412.tif 000007
【図７】
0004077412.tif 000008
【図８】
0004077412.tif 000009
【図９】
0004077412.tif 000010